(57)【要約】  【課題】発音と同時に一方向のみに装飾体を載置する回転台座を回転させ、発音が無い場合も、回転台座を回転させることによって視覚的に楽しむことができる、従来にない、興趣ある三輪車または自転車用ベル装置を提供することを目的とする。  【課題手段】ベル内部に駆動機構を設け、操作レバーの往復揺動運動の一方向の運動のみを回転台座に伝達し、回転台座を一方向のみに回転させる伝動機構を備える。  【選択図】  図２
2005324707.tif 000002
【特許請求の範囲】
【請求項１】
金属発音体としての基部（１０１）と、この基部に上部から被せて支持軸（１０３）により結合されたカバー体（１０２）と、前記基部またはカバー体に揺動自在に取り付けられ、復帰用ばねによる一方向の付勢力とこの付勢力と反対方向の外部操作力とにより往復揺動運動する操作レバー（１０８）と、この操作レバーの揺動運動に連動して前記支持軸に回動自在に設けられている前記基部内面を叩打して発音させる発音アーム部材（１０５）と、前記カバー体上面に回転自在に設置され装飾体等の装着される回転台座（１１０）と、操作レバー（１０８）と回転台座の間に操作レバーの揺動運動により前記回転台座を回転駆動するための駆動機構とを備えた三輪車または自転車用ベル装置において、
前記駆動機構は、前記操作レバーの往復揺動運動の一方向の運動のみを前記回転台座に伝達し、回転台座を一方向のみに回転させる伝動機構を備えることを特徴とする三輪車または自転車用ベル装置。
【請求項２】
請求項１に記載の三輪車または自転車用ベル装置において、前記伝動機構は歯車伝動機構から構成され、操作レバー（１０８）の一方向への揺動により、この歯車伝動機構を構成している一部の歯車が噛合し、回転台座（１１０）へ駆動力を伝達し、他方向への揺動により、前記歯車が噛合を外して、回転台座への駆動力を遮断するようにしたことを特徴とする三輪車または自転車用ベル装置。
【請求項３】
請求項１または２に記載の三輪車または自転車用ベル装置において、操作レバー（１０８）の往復揺動運動にしたがって回動される駆動軸（２０２ａ）と、この駆動軸に相互間に加わるトルクが所定値を超えると相対的に滑動するように滑動可能に嵌合結合された伝動制御板（１０９）をカバー体（１０２）上面に設け、この伝動制御板の上面に、前記歯車伝動機構の一部の歯車機構を載置し、この歯車機構の一端の歯車を前記駆動軸に固着するとともに、他端の歯車を前記伝動制御板の揺動にしたがって回転台座（１１０）に接離可能に配置することにより回転台座に一方向の回転力のみを伝達することを特徴とする三輪車または自転車用ベル装置。
【請求項４】
請求項１から３のいずれか１つに記載の三輪車または自転車用ベル装置において、駆動軸（２０２ａ）の嵌合される伝動制御板（１０９）の軸孔周辺部に、切込みを入れて弾性変形部を形成したことを特徴とする三輪車または自転車用ベル装置。
【請求項５】
請求項１から４のいずれか１つに記載の三輪車または自転車用ベル装置において、前記回転台座（１１０）の下面略中央に、前記歯車機構の一部の歯車を固着し、前記伝動制御板（１０９）上面に載置されている一部の歯車とが、この伝動制御板の揺動にしたがって回転台座に接離し、回転台座への駆動を伝達または遮断することを特徴とする三輪車または自転車用ベル装置。
【請求項６】
請求項１から５のいずれか１つに記載の三輪車または自転車用ベル装置において、前記回転台座（１１０）上面に、装飾体等（１１２ａ）を装着するための取付板（１１１）を設け、前記取付板をこの回転台座に結合したことを特徴とする三輪車または自転車用ベル装置。
【請求項７】
請求項１から６のいずれか１つに記載の三輪車または自転車用ベル装置において、取付板（１１１）の上面に、回転可能に装飾体等（１１２ｂ）を設けるとともに、この装飾体等（１１２ｂ）と回転台座（１１０）との間に歯車機構を設け、回転台座（１１０）の回転に連動して装飾体等（１１２ｂ）を回転駆動するようにしたことを特徴とする三輪車または自転車用ベル装置。
【発明の詳細な説明】
【技術分野】
【０００１】
本発明は、三輪車または自転車等のハンドルに取り付けられる三輪車または自転車用ベル装置に関する。
【背景技術】
【０００２】
特許文献１に示された、従来の三輪車または自転車等のハンドルに取り付けられるベル装置は、図５に示すとおり、レバー体２６の操作部３１を人差し指によって第１の枢軸２７を中心として弾性部材２５の反付勢方向（時計方向）に回転させると、レバー体２６のラック３２が回転し、ラック３２と噛み合う小歯車３７、この小歯車３７と一体の大歯車３６、この大歯車３６と噛み合う小歯車４０を介して、発音アーム部材２０が支持軸５を中心として時計方向に回転する。
【０００３】
また、レバー体２６の操作部３１から人差し指を離すと、レバー体２６が弾性部材２５によって付勢されて第１の枢軸２７を中心として付勢方向（反時計方向）に回転し、レバー体２６のラック３２が逆回転し、ラック３２と噛み合う小歯車３７、小歯車３７と一体の大歯車３６、および大歯車３６と噛み合う小歯車４０を介して、発音アーム部材２０が支持軸５を中心として反時計方向に回転する。
【０００４】
このように発音アーム部材２０がレバー体の２６の運動に連動して正逆回転することによりその両端に設けられた叩打部材２１，２１が発音体３の内側面を連続的に叩打して、発音体３を発音させる。
【０００５】
発音アーム部材２０の係合穴４１，４１に、発音体３のボス４７に回動自在に取り付けられた第１の歯車７０の係合突起７１，７１が係合しているので、発音アーム部材２０の時計方向の回転が第１の歯車７０に伝達され、さらに第１の歯車７０と噛み合う下歯車６０、伝達軸５９、上歯車６１、上歯車６１と噛み合う第２の歯車８３を介して、回転部材８１が支軸５５を中心として時計方向に回転する。
【０００６】
回転部材８１の係合孔８６に台座８２の係合突起９０が係合しているので、台座８２は、回転部材８１と同時に時計方向に回転する。逆に、発音アーム部材２０が反時計方向に回転すると、第１の歯車７０、下歯車６０、伝達軸５９、上歯車６１、第２の歯車８３を介して、回転部材８１が反時計方向に回転し、同時に台座８２も反時計方向に回転する。
【０００７】
台座８２が回転すると、台座８２に取り付けられている装飾体９５も一緒に回転する。装飾体９５は、発音アーム部材２０の回転に連動しているので、発音体３の発音に同期して回転する。
【０００８】
しかしながら、このように構成された従来の三輪車または自転車用ベル装置においては、上記のように台座に取り付けられた装飾体９５の運動は、常に発音アーム部材２０と連係しているため、装飾体９５の回転方向は発音アーム部材２０の回転方向に依存し、装飾体９５自体を単独で回転運動させることができなかった。
【０００９】
また、装飾体は、第１の歯車７０、下歯車６０、伝達軸５９、上歯車６１、第２の歯車８３これらのギア比に依存するので回転速度も制限される。
【００１０】
更に台座８２に取り付けられている装飾体９５は、発音アーム部材２０と連係しているため、発音体３が発音している間しか回転しないという問題がある。
【特許文献１】実用新案登録第３０５９３１０号公報
【発明の開示】
【発明が解決しようとする課題】
【００１１】
本発明は、これら問題点を解消して、三輪車または自転車用ベル装置おける操作レバーを一方向に操作したときだけその駆動力を前記回転台座に伝達し、回転台座を一方向のみに回転させるとともに、発音体の発音が終わった後も台座が回転し続けるようにして、視覚的に一層楽しむことのできる、興趣ある三輪車または自転車用ベル装置を提供することを課題とする。
【課題を解決するための手段】
【００１２】
上記の課題を解決するために、請求項１の発明は、金属発音体としての基部（１０１）と、この基部に上部から被せて支持軸（１０３）により結合されたカバー体（１０２）と、前記基部またはカバー体に揺動自在に取り付けられ復帰用ばねによる一方向の付勢力と、この付勢力と反対方向の外部操作力により往復揺動運動する操作レバー（１０８）と、この操作レバーの揺動運動に連動して前記支持軸に回動自在に設けられている前記基部内面を叩打して発音させる発音アーム部材（１０５）と、前記カバー体上面に回転自在に設置され装飾体等（１１２ａ、１１２ｂ）の装着される回転台座（１１０）と、操作レバー（１０８）と回転台座の間に操作レバーの揺動運動により前記回転台座を回転駆動するための駆動機構とを備えた三輪車または自転車用ベル装置において、
前記駆動機構は、前記操作レバーの往復揺動運動の一方向の運動のみを前記回転台座に伝達し、回転台座を一方向のみに回転させる伝動機構を備えることを特徴とする。
【００１３】
請求項２の発明は、前記伝動機構は歯車伝動機構から構成され、操作レバー（１０８）の一方向への揺動により、この歯車伝動機構を構成している一部の歯車が噛合し、回転台座（１１０）へ駆動力を伝達し、他方向への揺動により、前記歯車が噛合を外して、回転台座への駆動力を遮断するようにしたことを特徴とする。
【００１４】
請求項３の発明は、操作レバー（１０８）の往復揺動運動にしたがって回動される駆動軸（２０２ａ）と、この駆動軸に相互間に加わるトルクが所定値を超えると相対的に滑動するように滑動可能に嵌合結合された伝動制御板（１０９）をカバー体（１０２）上面に設け、この伝動制御板の上面に、前記歯車伝動機構の一部の歯車機構を載置し、この歯車機構の一端の歯車を前記駆動軸に固着するとともに、他端の歯車を前記伝動制御板の揺動にしたがって回転台座（１１０）に接離可能に配置することにより回転台座に一方向の回転力のみを伝達することを特徴とする。
【００１５】
請求項４の発明は、駆動軸（２０２ａ）の嵌合される伝動制御板（１０９）の軸孔周辺部に、切込みを入れて弾性変形部を形成したことを特徴とする。
【００１６】
請求項５の発明は、回転台座（１１０）の下面略中央に、前記歯車機構の一部の歯車を固着し、伝動制御板（１０９）上面に載置されている一部の歯車とが、この伝動制御板の揺動にしたがって回転台座に接離し、回転台座への駆動を伝達または遮断することを特徴とする。
【００１７】
請求項６の発明は、回転台座（１１０）上面に、装飾体等（１１２ａ）を装着するための取付板（１１１）を設け、前記取付板この回転台座に結合したことを特徴とする。
【００１８】
請求項７の発明は、請求項１から６のいずれか１つに記載の三輪車または自転車用ベル装置において、取付板（１１１）の上面に、回転可能に装飾体等（１１２ｂ）を設けるとともに、この装飾体等（１１２ｂ）と回転台座（１１０）との間に歯車機構を設け、回転台座（１１０）の回転に連動して装飾体等（１１２ｂ）を回転駆動するようにしたことを特徴とする。
【発明の効果】
【００１９】
本発明によれば、装飾体等（１１２ａ、１１２ｂ）を取付けた回転台座は、操作レバーを一方向に操作したときだけこれに連動して回転駆動され、操作レバーの操作を止めると操作レバーと回転台座の間の伝動機構が切り離されるため、前記装飾体等を取付けた前記回転台座は、前記操作レバーの操作を止めていても、それ自身の慣性力により回転を続けることができるため操作の負担の軽減が図られる。
【００２０】
また、操作レバーを常に操作しなくても慣性力により前記装飾体等の回転をさせておくことができるため視覚的興趣をそそるという効果が得られる。
【００２１】
更に、操作レバーの操作を停止することによって、発音アーム部材の回転が停止し発音が止んだ後も、装飾体の回転を継続させるため、無駄な発音をすることなく前記装飾体等の回転を楽しむことができるという効果が得られる。
【００２２】
更にまた、操作レバーの操作を停止すれば駆動機構から切り離されて、装飾体等（１１２ａ、１１２ｂ）を取付けた回転台座は、慣性力により回転を続けるようになるため、操作レバーの操作の停止後は、前記回転台座の回転は歯車機構のギア比に依存することなく、自然な回転を楽しむことができるという効果がある。
【００２３】
なおまた、本発明は、操作レバーの一方向の操作に連動して回転する回転台座上の装飾体等（１１２ａ）とともに回転するだけでなく、装飾体（１１２ｂ）の方は、歯車機構により単独で自転するため、興趣ある視覚的効果が得られる。
【発明を実施するための最良の形態】
【００２４】
以下、添付図面に基づいて本発明の実施例を説明する。
【００２５】
図１ないし図３に本発明の構成を示す。図１は完全な組み立て状態を示す側面断面図であり、図２は各部材を分解して示す斜視図。図３は一部に組み立てられた部材を含んだ分解斜視図である。
【００２６】
図１ないし図３に示すように、本発明の三輪車または自転車用ベル装置は、金属発音体としての基部（１０１）と、カバー体（１０２）とで構成されている。カバー体（１０２）には、支持軸（１０３）が設けられ、この支持軸（１０３）の先端が基部（１０１）にねじ結合により取り付けられる。
【００２７】
カバー体（１０２）の下面側に外部操作力により往復揺動可能に操作レバー（１０８）が、取り付けられ、図示しない復帰用ばねにより一方向に付勢されている（図３参照）。この操作レバー（１０８）の先部には扇状のラック（１０８ａ）が形成され、歯車１（２０１）に一体に結合された小歯車（２０１ａ）と噛合される。歯車１（２０１）は、支持軸（１０３）に回転自在に取り付けられた発音アーム部材（１０５）に結合された歯車（２００）と噛合い、発音アーム部材（１０５）と操作レバー（１０８）とが連係される。
【００２８】
カバー体（１０２）の上面には、装飾体（１１２ａ、１１２ｂ）の装着される回転台座（１１０）が回転自在に設置され、カバー体（１０２）略中央から突出する支持軸（１０３）により回転自在に支持される。
【００２９】
操作レバー（１０８）を復帰用ばねの付勢力と反対の時計方向に外部から操作すると先端の扇状ラック（１０８ａ）が同じ方向に揺動し、小歯車（２０１ａ）を回転駆動するので、歯車１（２０１）が反時計方向に回転される。この歯車１（２０１）の回転力が歯車（２００）に伝達され、発音アーム部材（１０５）が時計方向に回転する。
【００３０】
操作レバー（１０８）の外部操作力を外すと、この操作レバー（１０８）が復帰ばねにより反時計方向に揺動し、扇状ラック（１０８ａ）、小歯車（２０１ａ）、歯車１（２０１）、歯車（２００）を介して発音アーム部材（１０５）が反時計方向に回転される。このように、発音アーム部材（１０５）は操作レバー（１０８）の往復の揺動運動に連動して正逆方向に回転され、この回転によってその両端に設けられた叩打部材（１０４）が発音体を形成する基部（１０１）の内面を叩打ち発音させる。
【００３１】
カバー体（１０２）の上面には更に、歯車２（２０２）とこれと噛合う歯車３（２０３）とを載置した伝動制御板（１０９）が配設されている。この伝動制御板（１０９）の一端側には、切込みに連通して設けられた軸穴（１０９ｂ）が、そして他端側には支持軸（１０９ａ）が設けられている。
【００３２】
伝動制御板（１０９）の軸穴（１０９ｂ）に歯車２（２０２）の支持軸（２０２ａ）が挿通、固着され、支持軸（１０９ａ）には歯車３（２０３）が遊嵌される。伝動制御板（１０９）の軸穴（１０９ｂ）の内径は、軸（２０２ａ）の外径より僅かに小さく選ばれているため、軸（１０２ａ）を軸穴（１０９ｂ）に挿通するとき押し広げられて軸穴（１０９ｂ）の周辺部が弾性変形し、その弾性力により軸（２０２ａ）が軸穴（１０９ｂ）に把持される。
【００３３】
軸穴（１０９ｂ）の周辺に弾性変形を起こさせるため形成する切込みは、図４ａに示すように、軸穴（１０９ｂ）周辺部を略卍状に切込むか、または図４ｂに示すように軸穴（１０９ｂ）中心部から周縁部に向けて切込んだ後、周縁部付近で円周に沿って切込むようにすることができる。
【００３４】
軸（２０２ａ）と伝動制御板（１０９）の間にこの弾性把持力より大きいトルクが加わると両者は相対的に滑動し空転する。また、伝動制御板（１０９）の下面から突出した軸（２０２ａ）は、その軸端が、カバー体（１０２）を貫通して小歯車（２０１ａ）の軸穴に固定的に嵌着されているため、この歯車（２０１ａ）とともに回転する。
【００３５】
伝動制御板（１０９）と歯車（２０２）および歯車（２０３）で構成された歯車伝動機構（２１０）の全体が、歯車（２０１、２０１ａ）の回転とともに軸（２０２ａ）が回転されることにより回転する。これが時計方向に回転するときは、伝動制御板（１０９）がカバー体（１０２）の上面に設けられたストッパー部（１０６）に当たるまで回転し、当たったところで回転できなくなるため、軸（２０２ａ）と伝動制御板（１０９）との間のトルクが所定値を越え、軸（２０２ａ）が伝動制御板（１０９）に対して滑動空転し、この軸（２０２ａ）だけが回転を続ける。
【００３６】
そして軸（２０２ａ）が反時計方向に回転されるときは、この軸（２０２ａ）とともに歯車伝動機構（２１０）全体が同方向に回転し、歯車３（２０３）が回転台座（１１０）下面中央に固着された歯車（２０４）に当たって噛合ったところで止まる。このように歯車３（２０３）が歯車４（２０４）に当たって、伝動制御板（１０９）がそれ以上回転できなくなること、軸（２０２ａ）に大きなトルクが作用し、軸（２０２ａ）が伝動制御板（１０９）に対して滑動空転し、軸（２０２ａ）だけが回転を続けることになる。軸（２０２ａ）が回転し続けることにより歯車（２０２）が同方向（反時計方向）に回転し、この回転力が歯車３（２０３）および回転台座（１１０）の歯車４（２０４）を介して回転台座（１１０）に伝達され、この回転台座（１１０）を反時計方向に回転駆動する。
【００３７】
このように回転台座（１１０）は、操作レバー（１０８）が時計方向に操作され、小歯車（２０１ａ）に結合された軸（２０２ａ）が反時計方向に回転されたときのみこの駆動力が回転台座に伝達されて回転駆動されるので、反時計方向にのみしか回転しない。
【００３８】
すなわち、操作レバー（１０８）が往復揺動運動することにより、それに噛合する歯車１（２０１）が正逆方向に回動し、この歯車１を支持している駆動軸（２０２ａ）の正逆回転により伝動制御板（１０９）をカバー体（１０２）上面で往復揺動させる。伝動制御板（１０９）が時計方向に揺動されたときは、歯車伝動機構（２１０）の歯車３（２０３）が回転台座（１１０）の歯車４（２０４）から離れ、回転台座（１１０）への回転駆動力の伝達が停止されるが、回転台座（１１０）がすでに回転しているのであればその慣性力によって単独で回転し続ける。他方、伝動性制御板（１０９）が反時計方向に揺動されたときは歯車伝動機構（２１０）の歯車３（２０３）が回転台座（１１０）の歯車４（２０４）に接合して噛合い、再び、回転台座（１１０）に回転駆動力が伝達され、これを反時計方向に回転駆動する。
【００３９】
また、回転台座（１１０）の上面には、装飾体（１１２ａ）を装着した取付板（１１１）（図３参照）が組み付けられる。
【００４０】
更に、回転台座（１１０）と取付板（１１１）の間には、取付板（１１１）上面で装飾体（１１２ｂ）を回転させるための歯車機構（２０５、２０６）が設けられている。この歯車機構の一方の歯車（２０５）は、カバー体（１０２）の略中央から回転自在に突出する支持軸（１０３）の上端部に固定的に嵌着される。取付板（１１１）を貫通して回転自在に支持されている支持軸（２０６ａ）の取付板（１１１）の下面側に突出する軸端に歯車５（２０５）と噛合う歯車６（２０６）を嵌着し、取付板（１１１）上面側に突出する支持軸（２０６ａ）の他方の軸端には装飾体（１１２ａ）を取り付ける。
【００４１】
このような歯車機構の歯車（２０６）は、回転台座（１１０）が回転することによって、この回転台座（１１０）に結合されている取付板（１１１）が一緒に回転するので、支持軸（１０３）の上端部に固定されている歯車５（２０５）に噛み合ってこれの周縁を自転しながら遊転し、取付板（１１１）の上面で装飾体（１１２ａ）を自転させることが可能となる。
【００４２】
更にまた、回転台座（１１０）の上部には、透明の保護カバー（１１３）が設けられており、これは、回転台座（１１０）に上部から嵌合され、外部から装飾体（１１２ａ、１１２ｂ）に接触することができないようにする。
【００４３】
このように構成された本発明の三輪車または自転車用ベル装置は、操作レバー（１０８）を時計方向に外部から操作すると先端の扇状ラック（１０８ａ）が同じ方向に揺動し、小歯車（２０１ａ）、歯車１（２０１）が反時計方向に回転することによって、これに連動して発音アーム部材（１０５）が時計方向に回動し発音体である基部（１０１）を叩き発音させる。同時に、カバー体（１０２）の上面に設けられている、歯車１（２０１）と軸（２０２ａ）によって結合された歯車２（２０２）とこれと噛合う歯車３（２０３）とを載置した伝動制御板（１０９）が揺動し、歯車３（２０３）が回転台座（１１０）の歯車４（２０４）を接合し、噛合って、歯車（２０２、２０３、２０４）を介して回転台座（１１０）に伝達される回転力により、この回転台座（１１０）が反時計方向に回転駆動される。
【００４４】
操作レバー（１０８）の外部操作力を外すと、この操作レバー（１０８）が復帰ばねにより反時計方向に揺動し、扇状ラック（１０８ａ）、小歯車（２０１ａ）、歯車１（２０１）、歯車（２００）を介して発音アーム部材（１０５）が反時計方向に回転されるので発音体である基部（１０１）を叩き発音させる。しかし、このときは、操作レバー（１０８）の揺動に連動して伝動制御板（１０９）が軸（２０２a）とともに時計方向に回動し、伝動機構の歯車３（２０３）が回転台座（１１０）の歯車から離れるため、回転台座（１１０）にはこのときの回転力は伝達されず、それ自身の慣性力により反時計方向の回転を続ける。
【００４５】
このように、本発明のベル装置によれば、発音アーム部材（１０５）は操作レバー（１０８）の往復の揺動運動に連動して正逆方向に回転され、この回転によってその両端に設けられた叩打部材（１０４）が発音体を形成する基部（１０１）の内面を叩打ち発音させるが、回転台座（１１０）は、操作レバー（１０８）が時計方向に操作され、小歯車（２０１ａ）に結合された軸（２０２ａ）が反時計方向に回転されたときのみこの駆動力が回転台座に伝達されて回転駆動されるだけであるので、反時計方向にのみしか回転しない。
【００４６】
すなわち、操作レバー（１０８）を往復揺動運動させることにより、それに噛合する歯車１（２０１）が正逆方向に回動し、この歯車１を支持している駆動軸（２０２ａ）の正逆回転により伝動制御板（１０９）をカバー体（１０２）上面で往復揺動させ、伝動制御板（１０９）が時計方向に揺動されたときは、歯車伝動機構（２１０）の歯車３（２０３）が回転台座（１１０）の歯車４（２０４）から離れ、回転台座（１１０）への回転駆動力の伝達を停止し、一方、伝動性制御板（１０９）が反時計方向に揺動されたときは歯車伝動機構（２１０）の歯車３（２０３）が回転台座（１１０）の歯車４（２０４）に当たって噛合い、回転台座（１１０）に回転駆動力を伝達し、これを反時計方向に回転駆動する。
【００４７】
回転台座（１１０）の上面に、取付板（１１１）を介して取り付けらた装飾体（１１２ａ）をよび、回転台座（１１０）と取付板（１１１）の間に配設した歯車機構（２０５、２０６）を介して取り付けられた装飾体（１１２ｂ）は、操作レバーの一方向の操作に連動して回転する回転台座（１１０）とともに回転するだけでなく、装飾体（１１２ｂ）の方は、歯車機構（２０５、２０６）により単独で自転する。
【００４８】
そして、回転台座（１１０）は、操作レバーが時計方向に操作されたときにこれに連動して反時計方向に回転駆動され、操作レバーの操作をやめれば駆動機構から切り離されて慣性力により回転を続けるようになるため、発音アーム部材（１０５）が操作レバーの操作の停止によって回転を停止することによって発音が止んだ後も、装飾体の回転を継続させることが可能となる。
【産業上の利用可能性】
【００４９】
本発明のベル装置は、幼児または児童が路上で運転する三輪車または自転車用だけに限定されるものではなく、遊園地や遊戯場等でそれ自体移動しない遊戯具用の乗物やシュミレーション用の乗物、更には玩具または玩具の一部分に装着して利用することも可能である。
【図面の簡単な説明】
【００５０】
【図１】本願発明に係る自転車用ベルの側面断面図である。
【図２】図１の分解斜視図である。
【図３】図２の一部を組立てた分解斜視図である。
【図４ａ】伝動制御板の正面図
【図４ｂ】伝動制御板の正面図
【図５】従来の台座回動機構
【符号の説明】
【００５１】
１０１ 基台、１０２ カバー体、１０３ 支持軸、１０４ 叩打部材、１０５ 発音アーム部材、１０６ ストッパー部、１０７ 弾性部材、１０８ 操作レバー、１０９ 伝動制御板、１０９ａ 駆動軸、１０９ｂ 切り込み、１１０ 台座、１１１ 取付板、１１２ａ 装飾体、１１２ｂ 装飾体、１１３ 透過性を有するカバー体、２０１ 歯車１、２０２ 歯車２、２０２ａ 駆動軸、２０３ 歯車３、２０３ａ 支軸、２０４ 歯車４、２０５ 歯車５、２０６ 歯車６、２０６ａ 駆動軸、２１０ 歯車伝動機構
【図１】
2005324707.tif 000003
【図２】
2005324707.tif 000004
【図３】
2005324707.tif 000005
【図４ａ】
2005324707.tif 000006
【図４ｂ】
2005324707.tif 000007
【図５】
2005324707.tif 000008